【手続補正書】
【提出日】平成30年6月19日(2018.6.19)
【手続補正１】
【補正対象書類名】特許請求の範囲
【補正対象項目名】全文
【補正方法】変更
【補正の内容】
【特許請求の範囲】
【請求項１】
例えばケーブル、ホース等の配線のための、特にクリーンルームでの応用のための配線案内装置（３００．．．１１００）であって、前記配線案内装置は、固定された接続位置（１０５）に固定するための第１端部と、相対的に移動可能な接続位置（１０７）に固定するための第２端部と、を有しており、前記端部同士の間に、上側経路（１０１）と、変位可能な方向転換湾曲部（１０４）と、下側経路（１０３）と、を形成し、前記方向転換湾曲部は、好ましくは既定の曲率半径で方向転換軸（Ａ）を中心に湾曲しており、前記配線案内装置は可撓性シース（３１０．．．１１００）を有しており、前記シースは内部空間を防塵で取り囲む、配線案内装置において、
前記シース（３１０；１１００）は、波形管の方法で設計され、可撓性に役立つ波形輪郭を有しており、
前記シース（３１０；１１００）は、少なくとも長手方向セクションにおいて、許容される曲げ撓みが所望の曲率と比べてかなり小さいように、前記方向転換軸を中心とした曲率及び反対の曲率に関して非対称の曲げ挙動を有しており、
前記波形管状シースは、その周縁の外側（３１２）に、前記方向転換軸に向かって面する、その周縁の内側（３１１）とは異なる波形輪郭を有し、
前記波形管状シース（３１０；１１００）は、２つのシェル部分（３３１、３３２；１１３１、１１３２）、特に、異なる波形輪郭を有する２つのシェル部分から部分ごとに構成されており、交差部が前記配線案内装置の中立素分の高さであることが好ましいことを特徴とする配線案内装置。
【請求項２】
前記波形管状シースは、前記外側（３１２）に、内部軸幅が波形山部の軸幅の２０％未満、特に１０％未満である波形谷部（３１６）を有する波形輪郭を有し、
前記波形管状シースは、前記内側（３１１）に、内部幅軸が前記波形山部（３２０）の前記軸幅の少なくとも５０％であり、特にほぼ同一である波形谷部（３１８）を有する波形輪郭を有することが好ましいことを特徴とする、請求項１に記載の配線案内装置。
【請求項３】
前記外側の前記波形輪郭はオメガ形状を有しており、波形山部（３１４）は、端部に向かって外側に突き出る横腹部（３１５）を有し、前記外側の前記波形輪郭は、前記シースの直線位置の前記横腹部が両側で互いに当接して接触する構成を有していることを特徴とする、請求項１又は２に記載の配線案内装置。
【請求項４】
前記シェル部分（１２０１、１２０２）はそれぞれ、長手方向の両側に、長手方向に延在する固定バンド（１２０４）を有しており、前記固定バンド（１２０４）は、対向配置されたシェル部分の対応の歯構成と協働する、特に、ジップファスナの方法で協働する歯（１２０５）を有する歯構成を有し、前記固定バンド同士の間の結合部が前記配線案内装置の中立素分を形成することを特徴とする、請求項１に記載の配線案内装置。
【請求項５】
前記シェル部分（３３１、３３２；１２０１、１２０２）は、可撓性プラスチックから一体に形成され、長手方向セクションにおいて、許容される曲げが所望の曲率と比べて非常に小さくなるように、方向転換軸を中心とした曲率及び反対の曲率に関して非対称の曲げ特性を有する波形輪郭を有しており、
前記シェル部分（３３１、３３２；１２０１、１２０２）は、オメガ形状の波形輪郭を有することが好ましく、波形山部（３１４）が、端部に向かって外側に突き出る横腹部（３１５）を有し、前記波形輪郭は、前記横腹部が直線位置における両側で互いに当接して接触するような構成を有し、
前記シェル部分は、好ましくは前記長手方向に延在する固定バンドを長手方向の両側に有し、前記固定バンド同士の間の結合が前記配線案内装置の中立素分を形成することを特徴とする、請求項１に記載の配線案内装置。
【請求項６】
例えばケーブル、ホース等の配線のための配線案内装置の製造のためのシェル部分であって、波形管状シースを形成し、２つのそれぞれ対向配置されたシェル部分（３３１、３３２；１２０１、１２０２）から部分ごとに構成される、シェル部分において、
前記シェル部分（３３１、３３２；１２０１、１２０２）は、可撓性プラスチックから一体に形成され、長手方向セクションにおいて、許容される曲げが所望の曲率と比べて非常に小さくなるように、方向転換軸を中心とした曲率及び反対の曲率に関して非対称の曲げ特性を有する波形輪郭を有しており、
前記シェル部分（３３１、３３２；１２０１、１２０２）は、オメガ形状の波形輪郭を有し、波形山部（３１４）が、端部に向かって外側に突き出る横腹部（３１５）を有し、前記波形輪郭は、前記横腹部が直線位置における両側で互いに当接して接触するような構成を有していることを特徴とするシェル部分。
【請求項７】
例えばケーブル、ホース等の配線のための配線案内装置を製造するためのシェル部分であって、前記配線案内装置は、波形管状シースを形成し、２つのそれぞれ対向配置された波形管状シェル部分（１２０１；１２０２）、特に、異なる波形輪郭を有するシェル部分から部分ごとに構成され、前記シェル部分（１２０１；１２０２）は、長手方向の両側に、長手方向に延在する固定バンド（１２０４）を有しており、前記固定バンド（１２０４）は、対向配置されたシェル部分の対応の歯構成と協働する、特に、ジップファスナの方法で協働する歯（１２０５）を有する歯構成を有することを特徴とするシェル部分。
【請求項８】
前記シースは、等脚台形の形状に少なくともほぼ対応する有効断面を有し、好ましくは部品が接続されるとき、台形の歯（１２０５）の短辺が、接続されるべき前記シェル部分から外方を向き、前記台形の歯（１２０５）の収束突出部がともにくさびで留められる、請求項７に記載のシェル部分。
【請求項９】
前記歯（１２０５）は、横方向に外向きに、特に、前記シェル部分又は前記配線案内装置の長手方向に垂直な方向に、前記固定バンドの延長部分としての突起部を形成する、請求項７又は８に記載のシェル部分。
【請求項１０】
歯構成と前記波形管状シースへの移行部との間の領域には、接続されるべき前記シェル部分上の対応の舌部とポジティブロック関係で協働する長手方向溝（１２０６）が設けられる、又は、接続されるべき前記シェル部分上の対応の長手方向溝とポジティブロック関係で協働する、好ましくは厚くした端部領域を有する舌部（１２０７）が設けられる、請求項７〜９のいずれか１項に記載のシェル部分。
【請求項１１】
端部領域（１２０８Ａ）には、前記長手方向軸に垂直に向けられて周縁で連続する密閉突起部（１２０９Ａ）が設けられ、他方の端部領域には、前記長手方向に隣接する部分の前記密閉突起部（１２０９Ａ）がポジティブロック関係及び／又はフォースロック関係で係合することができる、内向きに配置されて対応して延在する密閉溝（１２０９Ｂ）が設けられ、好ましくは前記密閉突起部（１２０９Ａ）は、端部で厚くされて、好ましくはトラス頭又はゲームプレイングピースと同様の最初に収束する断面を有している、請求項６〜１０のいずれか１項に記載のシェル部分。
【請求項１２】
例えばケーブル、ホース等の配線のための、特にクリーンルームでの応用のための配線案内装置であって、前記配線案内装置は、固定された接続位置（１０５）に固定するための第１端部と、相対的に移動可能な接続位置（１０７）に固定するための第２端部と、を有しており、前記端部同士の間に、上側経路（１０１）と、変位可能な方向転換湾曲部（１０４）と、下側経路（１０３）と、を形成し、前記方向転換湾曲部は、好ましくは既定の曲率半径で方向転換軸（Ａ）を中心に湾曲しており、前記配線案内装置は可撓性シース（４１０．．．５１０）を有しており、前記シースは内部空間を防塵で取り囲む、配線案内装置において、
前記シース（４１０．．．５１０）は、波形管の方法で設計され、可撓性に役立つ波形輪郭を有しており、
前記配線案内装置は、少なくとも長手方向セクションにおいて、許容される曲げ撓みが所望の曲率と比べてかなり小さいように、前記方向転換軸を中心とした曲率及び反対の曲率に関して非対称の曲げ挙動を有しており、
前記シース（４１０；５１０）は、外側から嵌め込まれる別個の支持骨格（４４０．．．９４０）であって、周縁方向に延在する横方向リブ（４４４；５４４；９４４）を有する別個の支持骨格（４４０．．．９４０）を有しており、前記支持骨格（４４０．．．９４０）は、前記長手方向に延在して前記横方向リブ（４４４；５４４；９４４）を支持する２つの互いに対向するキャリア（４４２；５４２；９４２）を有しており、前記キャリアは、前記配線案内装置の中立素分のレベルに配置されることが好ましく、
前記横方向リブ（９４４）は、長手方向に突出する突起部（９４８Ａ、９４８Ｂ）を含み、前記横方向リブ（９４４）は、直線位置又は自己支持位置において互いに当接して接触し、接合関係に形成された突起部（９４８Ａ、９４８Ｂ）が協働し、又は、
前記横方向リブ（４４４；５４４）は、前記シース（４１０；５１０）の前記波形輪郭に少なくとも部分的に係合していることを特徴とする、配線案内装置。
【請求項１３】
前記横方向リブ（９４４）の両側でそれぞれ接合関係に形成された突起部（９４８Ａ、９４８Ｂ）が協働する、又は、前記支持骨格（４４０．．．５４０）は、横方向リブ（４４４．．．５４４）が、前記波形輪郭の少なくとも２つおきの波形に、好ましくは前記波形輪郭のすべての波形に係合するように適合されることを特徴とする、請求項１２に記載の配線案内装置。
【請求項１４】
前記支持骨格（４４０；９４０）は、一体に製造され、
前記キャリア（４４２．．．９４２）は、両端部で前記接続位置（１０５、１０７）に固定されることが可能であり、かつ、前記方向転換湾曲部の変位時に張力及び圧縮力を支持することが可能であり、前記支持骨格（４４０．．．９４０）は、好ましくは前記上側経路（１０１）の最大長さに少なくとも対応する長手方向範囲を有していることを特徴とする、請求項１２に記載の配線案内装置。
【請求項１５】
前記キャリア（４４２．．．９４２）は、さらなるシースの支持骨格に接続するための横方向固定手段を有している、及び／又は、前記キャリアは、長手方向に連続する支持骨格を固定するための端部固定手段を有している、及び／又は、前記シース（４１０；５１０）の前記波形輪郭は、平行なリング形状の形態に波形をつけられることを特徴とする、請求項１２〜１４のいずれか１項に記載の配線案内装置。
【請求項１６】
前記支持骨格（９４０）は、波形管（４１０）上で前記外側でクリップ状関係で前記支持骨格（９４０）を保持するために両側で前記周縁方向に突出する可撓性の保持アーム（９４７）を有していることを特徴とする、請求項１２に記載の配線案内装置。
【請求項１７】
波形輪郭を有する波形管を含むシースによって配線のための配線案内装置を製造するための支持骨格（４４０；５４０；９４０）のためのモジュールであって、前記モジュール（９４１）は、
可撓性プラスチックから一体に形成され、長手方向範囲を有し、かつ、波形管に対して外側から嵌め込まれることが可能であり、
前記長手方向範囲に対して横方向に周縁方向に延在する複数の横方向リブ（４４４；５４４；９４４）を有しており、
前記支持骨格（４４０；５４０）は、前記長手方向に延在して前記横方向リブ（４４４；５４４）を支持する２つの互いに対向するキャリア（４４２．．．９４２）を有しており、
前記横方向リブ（４４４；５４４）は、前記波形管の前記波形輪郭に少なくとも部分的に係合可能であり、
前記横方向リブ（９４４）は、前記横方向リブ（９４４）が直線位置又は自己支持位置において互いに当接して接触するように前記長手方向に突出する突起部（９４８Ａ、９４８Ｂ）を含む、モジュール。
【請求項１８】
前記シース（２１０．．．６１０）自体が前記配線を案内して支持する、及び／又は、前記方向転換軸を中心とした前記所望の凹曲度と比べて、前記波形管状シース（２１０．．．６１０）は、ほんのわずかにのみ又は実質的にゼロの凸状の曲げ撓みを許容することを特徴とする、請求項１〜５及び請求項１２〜１６のいずれか１項に記載の配線案内装置。
【請求項１９】
前記シース（２１０．．．６１０）及び場合によっては前記支持骨格（４４０．．．６４０）は、プラスチックから形成され、特に、長期の曲げ強度を有する弾性プラスチック、好ましくは熱可塑性プラスチックから形成されることを特徴とする、請求項１〜５及び請求項１２〜１６のいずれか１項に記載の配線案内装置。
【請求項２０】
静的凸状曲げ撓みが、凹曲度への前記波形管状シースの静的曲げ半径よりも、複数倍、特に少なくとも１０倍大きい半径に制限される、及び／又は、前記シース（２１０．．．６１０）は、その周縁の前記内側（２１１．．．６１１）よりも、前記方向転換軸に対してその周縁の前記外側（２１２．．．６１２）においてより小さい程度の圧縮率を有する非対称の曲げ特性を有している、及び／又は、前記シース（２１０．．．６１０）のより小さな軸方向圧縮率が、前記シースの全周縁範囲の少なくとも１／８、好ましくは１／４〜１／２である外側周縁領域の一部上の断面に提供されることを特徴とする、請求項１〜５及び請求項１２〜１６のいずれか１項に記載の配線案内装置。
【請求項２１】
前記シース（１１１０）は、第１長手方向部分（１１００Ａ）に非対称の曲げ特性を有し、第２長手方向部分（１１００Ｂ）に反対の非対称の曲げ特性を有し、及び／又は、前記シース（１１１０）は、長手方向部分（１１００Ａ；１１００Ｂ）に非対称の曲げ特性を有し、別の長手方向部分（１１００Ｃ）に対称の曲げ特性を有することを特徴とする、請求項１〜５及び１２〜１６のいずれか１項に記載の配線案内装置（１１００）。